(57)【要約】ケーブルハーネス組立の好ましい実施例は、１対の差動信号を導通するための第１及び第２の導体と、それに形成された第１及び第２の導電トレースを有するとともに、第１及び第２の主表面を有するほぼ平坦な基板とからなるシールドされたケーブルを有する。前記第１のトレースは、前記第１の主表面の第１位置において第１の導体に電気的に結合され、前記第１の主表面に沿って前記第１の主表面における第２の位置に延びている。前記第２のトレースは、前記第１の主表面の第３位置において第２の導体に電気的に結合され、前記第１及び第２の主表面に沿って前記第２の主表面における第４の位置に延びている。
2005527960.tif 000002
【特許請求の範囲】
【請求項１】
１対の差動信号を伝導するための第１及び第２の導体と少なくとも部分的に前記第１及び第２の導体をカバーするシールドとを有するシールドされたケーブルと、それに形成された第１及び第２の導電トレースを有するとともに第１及び第２の主表面を有し、前記第１のトレースは、前記第１の主表面の第１位置において第１の導体に電気的に結合され、前記第１の主表面に沿って前記第１の主表面における第２の位置に延びており、前記第２のトレースは、前記第１の主表面の第３位置において第２の導体に電気的に結合され、前記第１及び第２の主表面に沿って前記第２の主表面における第４の位置に延びているパドルカード終端部とを有するケーブルハーネス組立。
【請求項２】
バイアが前記基板に形成され、前記第２のトレースは前記バイアを介して前記第１及び第２の主表面間に延びている前記請求項１記載のケーブルハーネス組立。
【請求項３】
前記第１の主表面は、前記基板の上面を形成し、前記第２の主表面は、前記基板の底面を形成し、前記第３及び第４の位置は、ほぼ垂直に整列している前記請求項１記載のケーブルハーネス組立。
【請求項４】
（ｉ）それに形成された第１及び第２の導電トレースを有するとともに第１及び第２主表面を有するほぼ平坦な基板、（ｉｉ）前記第１の主表面に配置される第１、第２、第３の導電パッド、（ｉｉｉ）前記第２の表面に配置された第４の導電パッド、（ｉｖ）前記第１及び第３のパッドの間に延びている第１の導電トレース、（ｖ）前記第２及び第４のパッドの間に延びている第２の導電トレースを有するパドルカード終端部と、前記第１のパッドに電気的かつ機械的に結合された第１の導体と前記第２のパッドに電気的かつ機械的に結合された第２の導体とを有するシールドされたケーブルとを具備するケーブルハーネス組立。
【請求項５】
さらに前記ケーブルの第２を有し、前記ケーブル終端部は、（ｉ）前記第１の主表面に配置された第５の導電パッド、（ｉｉ）前記ケーブルの第２の主表面に配置され、前記ケーブルの第２の前記第１の導体に電気的かつ機械的に結合された第６の導電パッド、（ｉｉｉ）前記第２の主表面に配置され、前記第ケーブルの第２の第２導体と電気的かつ機械的に結合する第７の導電パッド、（ｉｖ）前記第２の主表面に配置された第８の導電パッド、（ｖ）前記第５及び第６のパッドの間に延びる第３の導電トレース、（ｖｉ）前記第７及び第８のパッドの間に延びる第４の導電トレース、をさらに有する前記請求項４記載のケーブルハーネス組立。
【請求項６】
前記第１の主表面は、前記基板の上面を形成し、前記第２主表面は、前記基板の底面を形成し、前記第１及び第６のパッドはほぼ垂直に整列され、前記第２及び第７のパッドはほぼ垂直に整列され、前記第３及び第４パッドはほぼ垂直に整列され、第５及び第８のパッドはほぼ垂直に整列される前記請求項５記載のケーブルハーネス組立。
【請求項７】
前記ケーブルは、さらに前記第１の導体の周囲に配置された第１の絶縁体と、前記第２の導体の周囲に配置された第２の絶縁体と、前記第１及び２の絶縁体の周囲に配置されたシールドを有する前記請求項４記載のケーブルハーネス組立。
【請求項８】
前記基板は、それに形成されたバイアを有し、前記第２のトレースはそのバイアを介して前記第１及び第２の主表面間に延びている前記請求項４記載のケーブルハーネス組立。
【請求項９】
前記基板は、それに形成された第１及び第２のバイアを有し、前記第２のトレースは、その第１のバイアを介して第１及び第２の主表面間に延び、第３のトレースは、前記第２のバイアを介して前記第１及び第２の主表面間に延びている前記請求項５記載のケーブルハーネス組立。
【請求項１０】
それぞれの前記ケーブルは、ドレーン路を有し、前記ケーブル終端部はさらに前記第１の主表面に配置された前記第１の接地線及び前記第２の主表面に配置された前記第２の接地線を有し、前記ケーブルの第１のドレーン路は電気的にかつ機械的に前記第１の接地面に結合され、前記ケーブルの第２のドレーン路は電気的かつ機械的に前記第２の接地面に結合される前記請求項５記載のケーブルハーネス組立。
【請求項１１】
前記第１及び第２の導体は、電気的かつ機械的にそれぞれ第１及び第２パッドにハンダ付けによって結合される前記請求項４記載のケーブルハーネス組立。
【請求項１２】
プラグ組立は、それに形成されるとともにそれぞれ各接点を前記レセプタクルに係合するようにした第１及び第２の導電トレースを有する絶縁本体と、（ｉ）第１及び第２の主表面を有するほぼ平坦な基板、（ｉｉ）前記第１の表面に配置され、電気的かつ機械的にそれぞれ第１及び第２の導体と結合されるようにした第１及び第２の導電パッドを有するパドルカード終端部と、前記本体に設けられ前記第１及び第２の導電トレースの各１つと電気的に結合される第１及び第２の接点であって、その第１の接点は機械的に前記第１の主表面と結合するとともに電気的に前記第１の導電パッドと結合し、前記第２の接点は機械的に前記第２の主表面と結合するとともに電気的に前記第２の導体と結合する前記第１及び第２の接点とを有する、プラグ組立と第１及び第２の導体を有するシールドされたケーブルとを組合せるようにしたレセプタクルを電気的に結合するようにしたプラグ組立。
【請求項１３】
前記本体は、主部とそれに形成されたトレースを有する隣接する棚部とを具備する前記請求項１２記載のプラグ組立。
【請求項１４】
前記第１及び第２の接点は、それぞれ機械的に前記第１及び第２の導電トレースの各１つに結合されたピン部と、それぞれ機械的に前記各第１及び第２の主表面と結合された隣接するビーム部とを有する前記請求項１２記載のプラグ組立。
【請求項１５】
さらにケーシングを有してなり、このケーシング内に、前記本体、ケーブル終端部、及び第１及び第２の接点が、ほぼ配置されている前記請求項１２記載のプラグ組立。
【請求項１６】
前記第１の接点は、機械的に前記第１の主表面上の第３の導電パッドに結合されるとともに、前記第２の接点は、機械的に前記第２の主表面上の第４の導電パッドに結合される前記請求項１２記載のプラグ組立。
【請求項１７】
前記第１の接点は、電気的に前記第１の主表面に沿って延びる導電トレースによって前記第１の導電パッドに結合され、前記第２の接点は電気的に前記第１及び第２の主表面に沿って延びる導電トレースによって前記第２の導電パッドに結合される前記請求項１２記載のプラグ組立。
【請求項１８】
前記第２の導電トレースは、前記基板に形成されたバイアを介して前記第１及び第２の主表面の間に延びている前記請求項１２記載のプラグ組立。
【請求項１９】
前記第１及び第２の接点は、ハンダ付けによって機械的に前記各第１及び第２の主表面に結合される前記請求項１２記載のプラグ組立。
【請求項２０】
１対の差動信号を伝導するための第１及び第２の導体を有する複数のシールドされたそれぞれのケーブルと、絶縁本体、その本体に第１及び第２の列をなして設けられた複数の接点、及び前記第１及び第２の列の間に少なくとも部分的に配置されたパドルカード終端部を有し、前記それぞれのケーブルの第１及び第２の導体は、機械的に前記基板のコモン側に結合され、その各ケーブルの第１の導体は、電気的に前記第１の列の接点の１つに結合され、その各ケーブルの第２の導体は、電気的に前記第２の列の接点の１つに結合されるプラグ組立と、前記プラグ組立と組合うようにされ、前記レセプタクルがプラグ組立と組合わされるときにそのプラグ組立の接点の各１つを電気的に接触するようにされた複数の接点とを有するレセプタクルとを具備するコネクタシステム。
【請求項２１】
前記複数のシールドされたケーブルは、それぞれドレーン路を有し、前記ケーブル終端部はさらに前記基板の第１側に配置された第１の接地平面と、前記基板の第２側に配置された第２の接地平面とを有し、前記第１の複数のケーブルが電気的かつ機械的に前記第１の接地平面に結合され、前記ケーブルの第２のドレーン路は電気的かつ機械的に第２の接地平面に結合されている前記請求項２０記載のコネクタシステム。
【請求項２２】
前記第１列における各接点は、前記第２の列における接点のそれぞれの１つにほぼ垂直に整列されている前記請求項２０記載のコネクタシステム。
【請求項２３】
１対の差動信号を伝導するための第１及び第２の絶縁された導体と、前記第１及び第２の絶縁された導体を少なくとも部分的にカバーするシールドとを有するシールドされたケーブルと、第１及び第２の主表面を有するほぼ平坦な基板であって、前記表面の少なくとも１つはそれに第１及び第２の導電パッドを有し、前記第１及び第２の導体は、前記ケーブルの導体が前記パッドの隣接した１つに届くのに必要な前記導体のその部分のみを露出することによって、電気的かつ機械的に前記第１及び第２のパッドに接続されるパドルカード終端部とを具備するケーブルハーネス組立の部分。
【発明の詳細な説明】
【技術分野】
【０００１】
この発明は、電気コネクタに関し、特にシールドされた電気ケーブルのためのパドルカード終端部に関する。
【背景技術】
【０００２】
（出願の経緯）この出願は、米国仮特許出願第６０／３８３４０３号の合衆国３５法典第１１９条（ｅ）項の下の利益を得ており、その出願は２００２年５月２４日に出願され、ここにことごとく引用によって合体される。
【０００３】
（関連出願）この出願は、ともに出願中の２００３年３月１８日出願の米国特許出願第１０／３９１３８８号、及びともに出願中の２００３年４月１７日出願の米国特許出願第１０／４１７５２１号に関連している。
【０００４】
コンピュータ処理システムの速度及び容量は、絶えず増大している。さらにコンピュータ処理システムは、ますます複雑化するネットワーク内で相互に連結されている。これらの発達に遅れをとらないために、例えばインフィニバンドアーキテクチャのような新相互連結システムが提案されてきている。このインフィニバンドアーキテクチャは、サーバ相互連結のエリアにおける主要な応用を有する産業標準であり、チャンネルベースで、切換構造の、相互連結アーキテクチャである。インフィニバンドは、２．５から３０Gbits/secまでの速度領域で相互連結性能を保証している。
【０００５】
例えば、１０Gbitイーサネット（登録商標）のようなインフィニバンド標準、その他の同様なものは、相互連結速度の著しい進歩を意味している。これらの技術によって提供された比較的高速においては、電気的性能の最高水準が、物理的な実インターコネクト装置に要求される。例えば、正確なインピーダンスマッチングを有する安定な接点インターフェースを創出することが不可欠である。同様に、電気磁気的干渉及び漏洩は最小化しなければならない。さらに、これらの特質は、実社会場面で機械的に動作され、かつ大量に矛盾なく製造することができる物理的な実形状で提供されなければならない。
【０００６】
パドルカード終端部は、一般的に電気ケーブル及び電気部品の間のインターフェースに使用される。図７Ａ及び７Ｂは、従来からのパドルカード終端部１００を示す。そのケーブル終端部１００は、垂直のピンアウト要求性能を有しており、複数のシールドされたケーブル１１を終端するようになっている。
【０００７】
各ケーブル１１は、差動電気信号を伝導するための１対の導体２０ａ、２０ｂを有する。この導体２０ａ、２０ｂは、それぞれの絶縁２２ａ、２２ｂ層でそれぞれカバーされている。各ケーブル１１は、またドレーン路（明確のために図示せず）を有する。そのケーブルは、２つの導体２０ａ、２０ｂ、そのそれぞれの絶縁層２２ａ、２２ｂ、及びそのドレーン路（図示せず）をカバーするシールドされたジャケット２４をそれぞれ有する。
【０００８】
前記パドルカード終端部１００は、モールドされたプラスチックのような絶縁材料から形成された基板１０２を有する。この基板１０２は、その基板１０２の第１側を形成する第１の主表面１０４と、その基板１０２の反対側の第２側を形成する第２の主表面１０６とを有する。
【０００９】
第１の複数の導電パッド１０８ａは、基板１０２の第１端に最も近い前記第１の主表面１０４に配置される。第２の複数の導電パッド１０８ｂは、基板１０２の第１端に最も近い前記第２の主表面１０６に配置される。このパッド１０８ａ、１０８ｂは、以下に詳細に述べるようにケーブル１１の導体２０ａ、２０ｂと組合うように採用される。
【００１０】
第３の複数の導電パッド１０９ａは、基板１０２の第２端に最も近い前記第１の主表面１０４に配置される。第４の複数の導電パッド１０９ｂは、基板１０２の第２端に最も近い前記第２の主表面１０６に配置される。
【００１１】
前記パッド１０９ａ、１０９ｂは、ほぼ同一である。各パッド１０９ａは、対応するパッド１０９ｂとほぼ整列している。換言すれば、各パッド１０９ａは、図７Ｂに示すようにパッド１０９ｂの１つの上方にまっすぐに位置している。垂直に整列している各対のパッド１０９ａ、１０９ｂは、それぞれ組合う部品の接点のそれぞれ垂直に整列した対の接点を接触するようにされている。この接点は、前記パドルカード終端部１００及び組合う部品を電気的に結合する。
【００１２】
上述したように、この組合う部品は、垂直のピンアウト要求性能を有する。換言すれば、パドルカード終端部１００と組合う電気部品の接点は、第２の下方にまっすぐ配置される第１列によって、少なくとも２つの列に配置される。この要求性能は、図７Ａ、７Ｂに関して、以下のように従来からの公知技術のパドルカード終端部において満たされている。
【００１３】
複数の導電トレース１１４が基板１０２に配置されて、パッド１０８ａ、１０８ｂをパッド１０９ａ、１０９ｂと電気的に結合する。第１の複数のトレース１１４は、それぞれ図７Ｂに示すように、パッド１０８ａの１つとパッド１０９ａの１つとの間に延びている。第２の複数のトレース１１４（図には見えていない）は、それぞれパッド１０８ｂの１つとパッド１０９ｂの１つとの間に延びている。
【００１４】
ケーブル１１のそれぞれは、半田付けのような従来からの手段によって、パッド１０８ａの１つ又はパッド１０８ｂの１つに接続される。特に、導体２０ａのそれぞれは、パッド１０８ａの対応する１つに電気的かつ機械的に結合される。導体２０ｂのそれぞれは、同様にパッド１０８ｂの対応する１つに電気的かつ機械的に結合される。
【００１５】
さらに、各ケーブル１１の導体２０ａ、２０ｂは、垂直に整列した対のパッド１０８ａ、１０８ｂに結合される。今度は、垂直に整列した対のパッド１０８ａ、１０８ｂは、対応する垂直に整列された対のパッド１０９ａ、１０９ｂに電気的に結合される。ここに、各ケーブル１１からの導体２０ａ、２０ｂからの差動信号が、結合する部品の垂直に指向した接点の対応する対に伝送され、それによって、組合う部品の垂直ピンアウト要求性能を満たす。
【発明の開示】
【発明が解決しようとする課題】
【００１６】
ケーブル１１の導体２０ａ、２０ｂ間のクロストークは、ケーブル１１を介して伝送されるデータのエラーを発生させ得るものであり、制限されるべきである。さらには、電子産業において達成されている進行中の信号速度の増大が、クロストークの不利な効果を激化させ得る。したがって、ケーブル終端部を介して伝達されるクロストークを最小化するケーブル終端部のための必要性がある。
【課題を解決するための手段】
【００１７】
ケーブルハーネス組立の好ましい実施例は、１対の差動信号を伝導するための第１及び第２の導体と、前記第１及び第２の導体を少なくとも部分的にカバーするシールドとを有するシールドされたケーブルを具備する。このケーブルハーネス組立は、さらにその上に形成された第１及び第２の導電トレースを有し、第１及び第２の主表面を有するほぼ平坦な基板を有するパドルカード終端部を具備する。その第１のトレースは、前記第１の主表面の第１位置で第１の導体に電気的に結合され、前記第１の主表面に沿って前記第１の主表面の第２位置に延びている。その第２のトレースは、前記第１の主表面の第３位置で第２の導体に電気的に結合され、前記第１及び第２の主表面に沿って前記第２の主表面の第４位置に延びている。
【００１８】
ケーブルハーネス組立の他の好ましい実施例は、その上に形成された第１及び第２の導電トレースを有し、第１及び第２の主表面、前記第１の主表面に配置された第１、第２、第３の導電パッド、第１及び第３のパッド間に延びる第１の導電トレース、及び前記第２及び第４のパッド間に延びる第２の導電トレースを有するほぼ平坦な基板を具有するパドルカード終端部を具備する。このケーブルハーネス組立は、また、電気的かつ機械的に第１のパッドに結合された第１の導体と、前記第２のパッドに電気的かつ機械的に結合された第２の導体とを有する。
【００１９】
このプラグ組立と組合うようにされたレセプタクルと、第１及び第２の導体を有するシールドされたケーブルとを電気的に結合するようにしたプラグ組立の好ましい実施例は、それに形成された第１及び第２の導電トレースを有し、それぞれレセプタクルにそれぞれの接点を係合するようにされている絶縁本体を具備する。
【００２０】
プラグ組立は、また、第１及び第２の主表面を有するほぼ平坦な基板を有するパドルカード終端部と、前記第１の表面に配置され、それぞれ第１及び第２の導体に電気的かつ機械的に結合されるようにされた第１及び第２の導電パッドとを具備する。
【００２１】
プラグ組立は、さらに前記本体に設けられ、それぞれ第１及び第２の導電トレースの１つに結合される第１及び第２の接点を有する。この第１の接点は、前記第１の主表面に機械的に結合され、第１の導電パッドに電気的に結合され、その第２の接点は、前記第２の主表面に機械的に結合され、前記第２の導体に電気的に結合される。
【００２２】
コネクタシステムの好ましい実施例は、１対の差動信号を伝導するための第１及び第２の導体をそれぞれ有する複数のシールドされたケーブルを具備する。このコネクタシステムは、また絶縁本体と、この本体に第１及び第２の列をなして設けられた複数の接点と、第１及び第２の列の間に少なくとも部分的に配置されたパドルカード終端部とを有する。前記ケーブルのそれぞれの第１及び第２の導体は、機械的に基板のコモン側に結合され、前記ケーブルのそれぞれの第１の導体は、第１の列の接点の１つに電気的に結合され、ケーブルのそれぞれの第２の導体は、前記第２の列の接点の１つに電気的に結合される。
【００２３】
コネクタシステムは、またプラグ組立と組合うようにされたレセプタクルを有する。このレセプタクルは、そのレセプタクルがプラグ組立と組合わされるときにプラグ組立の接点のそれぞれの１つと電気的に接触するようにされている複数の接点を有する。
【発明を実施するための最良の形態】
【００２４】
以下の好ましい実施例の詳細な説明と同様に、前述の概要は、添付の図面と関係して読むときによりよく理解される。この発明を図示する目的のために、図は現在好ましい実施例を示すものである。しかしながら、この発明は、図に開示された特定の手段に限定されるものではない。
【００２５】
パドルカードケーブル終端部１０の好ましい実施例を有するコネクタシステムが、図１から図６Ａに描かれている。ケーブル終端部１０は、従来からのパドルカードケーブル終端部１００に関して概括して上述したように、複数のシールドされたケーブル１１の間のインターフェースを終端している。そのパドルカード終端部１０及びケーブル１１は、以下に詳細に説明される。
【００２６】
パドルカード終端部１０は、プラグ組立６２の部分を形成する。プラグ組立６２は、特別な固定され、かつ所定の垂直なピンアウト要求性能を有するレセプタクル６４と組合うようにされている（図２参照）。このレセプタクル６４は、サブストレート６８に設けられて、電気的に結合されるようにされている。プラグ組立６２及びレセプタクル６４は、ケーブル１１とサブストレート６８とを電気的に結合するためにコネクタシステムを形成する。このコネクタシステムは、ケーブル終端部の好ましい実施例がパドルカードケーブル終端部を必要とするいかなるコネクタシステムに関しても使用されるので、代表的な目的のためにのみ詳細に説明される。
【００２７】
プラグ組立６２は、絶縁本体７０、複数の接点７４、ケーシング７８、及びケーブル終端部１０を有する。コネクタ７４は、本体７０（図４参照）に設けられる。接点７４の半分は、第１の、又は上部の列８０に配置され、残りの接点７４は、第２の、又は下部の列８２に配置される。この上部列８０の接点７４は、下部列８２の接点７４から離間している。上部列８０のそれぞれの接点７４は、下部列８２の対応する接点７４と垂直方向に整列されている。換言すれば、下部列８２の各接点７４は、プラグ組立６２が図に示されたように指向しているときには、上部列８０の対応する接点７４のまっすぐ下方に位置している。（注意すべきは、「上部」、「下部」、「垂直」等のような方向の用語は、その図に描かれた部品の方向に関連して使用されていることである。これらの用語は、図示の目的のためにのみ使用されるのであって、添付の請求項の範囲を限定する意図はないことである。）
接点７４のそれぞれは、ビーム部７４ａ及び隣接するピン部７４ｂ（図４参照）を有する。この各接点７４のピン部７４ｂは、本体７０に設けられる。この配置は、ビーム部７４ｂが本体７４から延びていることに起因している。
【００２８】
接点７４のビーム部７４ｂは、ケーブル終端部１０を係合する。特に、ケーブル終端部１０の端部は、接点７４の上部及び下部列８０、８２の間に位置する。すなわち、接点７４の上部及び下部列８０、８２は、ケーブル終端部１０の端部を跨ぐ。ビーム部分７４は、ケーブル終端部１０に機械的かつ電気的に結合される。接点７４とケーブル終端部１０との間のインターフェースに関係するさらなる詳細が、以下に表わされる。
【００２９】
プラグ組立６２の本体７０は、主部７０ａ及びこの主部７０ａから延びる棚部７０ｂを有する。導電トレース８４は、棚部７０ｂの上部及び下部表面７０ｃ、７０ｄに配置される。接点７４のピン部７４ｂは、それぞれ主部７０ａを通して延び、それぞれのトレース８４を接触する。
【００３０】
本体７０、接点７４、及びケーブル終端部１０は、ケーシング７８（図１及び３参照）に収容される。このケーシング７８は、好ましくはニッケルめっきされた亜鉛のような、外的に発生された電磁的干渉からプラグ組立６２をシールドする材料から形成される。プラグ組立６２は、またケーブル１１をケーシング７８に固定するケーブルカラー７９を有する。
【００３１】
レセプタクル６４は、シェル９８（図２参照）に収容された複数の接点９０を有する。接点９０の半分は、第１の、上部の列９２に配置され、その残りの接点９０は、第２の、下部の列９４に配置される。上部列９２の接点９０は、下部列９４の接点９０から離間している。さらに、上部列９２の接点９０のそれぞれは、下部列９４の対応する接点と垂直に整列している。換言すれば、レセプタクル６４は、プラグ組立６２のそれに対応する垂直なピンアウト要求性能を有さなければならない。
【００３２】
接点９０は、プラグ組立６２のトレース８４を係合するようにされる。特に、上部列９２の接点９０及び下部列９４の接点９０は、プラグ組立６２がレセプタクル６４と組合わされるときに、本体７０の棚部７２ｂを跨ぐ。さらに、接点９０は、プラグ組立６２とレセプタクル６４とが組合わされるときに、接点９０のそれぞれが、対応するトレース８４とほぼ整列し、接触し、それによって、プラグ６２とレセプタクル６４との間の電気的接触を確立するように配置される。
【００３３】
レセプタクル６４に関するさらなる詳細は、この発明の理解には必要でなく、したがってここでは開示しない。
【００３４】
この発明のコンセプトは、出願人が、変更され得ない特定の垂直なピンアウト要求性能の制約の中で動作する一方、レセプタクルのクロストークを減少することに挑戦しているときに達成された。
【００３５】
出願人は、特定のケーブル１２の導体２０ａ、２０ｂを基板１２の同一側に結合することが、クロストーク減少に関係する実質的な利益を提供するということを見つけた。特に、注目すべき結合の配置は、ケーブル１１からとりのぞかれて、導体２０ａ、２０ｂがパッド１８ａ、１８ｂと組合わされることができるシールディング２４の量を最小化する。
【００３６】
先に注目したように、ケーブル１１のそれぞれは、差動電気信号を伝導するために適する１対の導体２０ａ、２０ｂを有する。この２つの導体２０ａ、２０ｂは、それぞれ絶縁２２ａ、２２ｂの各層でそれぞれカバーされる。各ケーブル１１は、またドレーン路（図５参照；ドレーン路２５は、明瞭化のためにその他のいかなる図にも開示されていない。）を有する。ドレーン路２５は、それぞれ基板１２の第１及び第２の主表面１４、１６に配置された接地平面２３にそれぞれ結合される。
【００３７】
ケーブル１１は、それぞれ、ケーブル１１の２つの導体２０ａ、２０ｂ、それらのそれぞれの絶縁層２２ａ、２２ｂ、ドレーン路２５をカバーするシールドされたジャケット２４を有する。（注意すべきは、ケーブル１１の数個は、また簡単化のために図５に表わされていないことである。）
パドルカード終端部１０に関する詳細は、以下のとおりである。パドルカード終端部１０は、モールドプラスチックのような絶縁材料から形成された基板１２を有する。この基板１２は、基板１２の第１側を形成する第１の主表面１４と、基板１２の反対側の第２側を形成する第２の主表面１６とを有する（図４−６Ｂ）。
【００３８】
第１の複数の導電パッド１８ａは、基板１２の第１端に最も近い第１の主表面１４に形成される。第２の複数の導電パッド１８ｂは、基板１２の第１端に最も近い第２の主表面１６に形成される。
【００３９】
パッド１８ａ、１８ｂは、ほぼ同一である。パッド１８ａのそれぞれは、パッド１８ｂの対応する１つとほぼ整列されている。換言すれば、各パッド１８ａは、パドルカード終端部１０が図に示されたように指向されているときには、パッド１８ｂの１つの上方にまっすぐ位置している。
【００４０】
第３の複数の導電パッド１９ａは、基板１２の第２端１２ｂに最も近い基板１２の第１の主表面１４に形成される。第４の複数の導電パッド１９ｂは、基板１２の第２端１２ｂに最も近い第２の主表面１６に形成される。
【００４１】
パッド１９ａ、１９ｂはほぼ同一である。各パッド１９ａは、対応するパッド１９ｂとほぼ整列されている。換言すれば、各パッド１９ａは、パドルカード終端部１０が図に示されたように指向されているときには、パッド１９ｂの1つの上方にまっすぐ位置している。
【００４２】
パッド１９ａ、１９ｂは、それぞれ接点７４の対応する１つのビーム部７４ａに電気的かつ機械的に結合される（図４参照）。換言すれば、各パッド１９ａ、１９ｂは、ケーブル終端部１０が本体７０と接点７４とを組合せるときに、対応するビーム部７４ａとほぼ整列し、接触するように基板１２に位置される。このビーム部７４ａは、好ましくは半田付けによって対応するパッド１９ａ、１９ｂと組合わされる。
【００４３】
パッド１８ａ、１８ｂのそれぞれは、以下に述べるように、回路トレースによってパッド１９ａ、１９ｂに電気的かつ機械的に接続される。
【００４４】
ケーブル１１のそれぞれは、はんだ付けのような従来の手段によってパッド１８ａの１つ、又はパッド１８ｂの１つに接続される。特に、第１の複数のケーブル１１の導体２０ａ、２０ｂは、基板１２の第１の主表面１４のパッド１８ａの隣接したものに電気的かつ機械的に結合される。第２の複数のケーブル１１の導体２０ａ、２０ｂは、同様に基板１２の第２の主表面１６のパッド１８ｂの隣接したものに電気的かつ機械的に結合される。ここに、導体２０ａは、パッド１８ａ又はパッド１８ｂの交互のものに位置し、そして導体２０ｂは、同様にパッド１８ｂ又はパッド１８ａの他の交互のものに位置する。
【００４５】
ジャケット２４は、ケーブル１１がパッド１８ａ、１８ｂに結合される前に、各ケーブル１１の端部から除去される。加えて、絶縁層２２ａ、２２ｂは、導体２０ａ、２０ｂのそれぞれの端から除去されて、導体２０ａ、２０ｂを露出する。これらの処置は、導体２０ａ、２０ｂのパッド１８ａ、１８ｂに対する組合せを容易にする。
【００４６】
ジャケット２４及び各ケーブル１１から除去された絶縁層２２ａ、２２ｂの長さは、今や公知技術から減少されこのように最小化される。特に、ジャケット２４及び各ケーブル１１から除去された絶縁層２２ａ、２２ｂの部分は、好ましくはケーブル１１の導体２０ａ、２０ｂがパッド１８ａ又はパッド１８ｂの隣接するものに届くことができるために必要なもののみに限定される。この特徴の重要性は、以下に議論される。
【００４７】
しかしながら、図７Ａ、７Ｂは、従来技術の構成において、垂直のワイヤリング構成が用いられるときには、各ケーブル１１の導体２０ａ、２０ｂのそれぞれが、ケーブル１１が従来のケーブル終端部１００と組合わされるときにばらばらに広がって、基板１０２の反対側に届かなければならない。この方法において導体２０ａ、２０ｂを広げることは、ケーブル１１が基板１２０と接するポイント以前に、シールディング２４の除去を必要とする。
【００４８】
これと対照的に、図６Ａ、６Ｂは、導体２０ａ、２０ｂがケーブル終端部１０の基板１２に結合されるときに、ケーブル１１が基板１２と接触するポイントを越えて各ケーブル１１にとどまることができることを示している。換言すれば、導体２０ａ、２０ｂが基板１２のコモン側と組合わされるときは、より少なくシールディング２４が、ケーブル１１から除去される必要がある。
【００４９】
このシールディング２４は、ケーブル１１間のクロストークを減少又は除去する。ここに、ケーブル１１に残るシールディング２４の量を増加することは、ケーブル１１間に生じるクロストークを減少する。換言すれば、ケーブル１１を基板１２と組合わせるためにケーブル１１から除去されなければならないシールディング２４の量を最小化することは、ケーブル１２間に生じるクロストークを最小化する。
【００５０】
パドルカード終端部１０は、基板１２のコモン側の特定ケーブル１１からの導体２０ａ、２０ｂを収容することによって、ケーブル１１間のクロストークを最小化すると確信される。さらに、パドルカード終端部１０は、レセプタクル６４の垂直なピンアウト要求性能を満足すると同時に一方でこの特徴を達成できる。
【００５１】
基板１２の第１の端のその列のパッドパターンを基板１２の第２の端の固定された所定の特定の垂直のピンアウトパターンに変換するために、新規なトレースパターンが必要であった。そのようなトレースパターンの代表例が、以下に述べられる。
【００５２】
複数の導通のトレース２４ａ、２４ｂ、２６ａ、２６ｂは、基板１２に配置されて、パッド１８ａ、１８ｂをパッド１９ａ、１９ｂと電気的に結合する。トレース２４、２６のルーチンに関する詳細は、以下のとおりである。明確のために、導通のトレースは、図６Ａにのみ描かれている。さらに、導通のトレース２４ａ、２４ｂ、２６ａ、２６ｂの各１つのみが、図６Ａに描かれている。残りの導通のトレース２４ａ、２４ｂ、２６ａ、２６ｂは、図６Ａに描かれたのと同一の関係する方法で配置される。
【００５３】
トレース２４ａ、２４ｂのそれぞれは、ケーブル１１のそれぞれの導体２０ａに電気的に結合されている。トレース２４ａは、それぞれパッド１８ａの１つとパッド１９ａの１つとの間に延びている。トレース２４ａは、基板１２の第１の主表面１４に完全に配置される。
【００５４】
トレース２４ａは、それぞれ基板１２の長手（「Ｘ」）方向に関してずれているパッド１８ａとパッド１９ａとの間に延びている（図６Ｂ参照）。（「Ｘ」方向は、各図に有する共通の整合システム２１に表示される。）特に、それぞれのパッド１８ａは、基板１２の長手方向に関してパッド１９ａのそれぞれの１つとほぼ整列されている。各トレース２４ａは、パッド１８ａと、特別なパッド１８ｃと整列されるパッド１９ａに隣接するパッド１９ａとの間に延びている。
【００５５】
トレース２４ｂは、それぞれパッド１８ｂの１つとパッド１９ｂの１つとの間に延びている。トレース２４ａは、基板１２の第２の主表面１６に完全に配置される。
【００５６】
トレース２４ｂは、それぞれ基板１２の長手方向に関してずれているパッド１８ｂとパッド１９ｂとの間に延びている。特に、それぞれのパッド１８ｂは、基板１２の長手方向に関してパッド１９ｂの別個の1つとほぼ整列されている。各トレース２４ｂは、パッド１８ｂと、特別なパッド１８ｂと整列されるパッド１９ｂに隣接するパッド１９ｂとの間に延びている。
【００５７】
トレース２６ａ、２６ｂのそれぞれは、ケーブル１１のそれぞれの導体２０ｂと電気的に結合される。トレース２６ａは、それぞれ図６Aに示されるように、パッド１８ａの１つとパッド１９ｂの１つとの間に延びている。
【００５８】
各トレース２６ａは、基板１２の長手方向に関してほぼ整列されるパッド１８ａ及びパッド１９ｂとの間に延びている。トレース２６ａは、それぞれ基板１２の第１の主表面１４に部分的に、さらに第２の主表面１６に部分的に配置される。特に、各トレース２６ａは、第１の主表面１４に沿って、パッド１８ａの対応する１つと基板１２に形成されためっきされたバイア２８の間に延びている。トレース２６ａは、第１の主表面１４からバイア２８を介して第２の主表面１６に通じる。トレース２６ａは、第２の主表面１６に沿って、対応するバイア２８とパッド１９ｂとの間にほぼ延びている。
【００５９】
各トレース２６ｂは基板１２の長手方向に関してほぼ整列されるパッド１８ｂとパッド１９ａとの間に延びている。トレース２６ｂは、それぞれ基板１２の第１の主表面１４に部分的に、さらに第２の主表面１６に部分的に配置される。特に、各トレース２６ｂは、対応するパッド１８ｂとバイア２８の１つとの間に延びている。トレース２６ｂは、バイア２８を介して第２の主表面１６から第１の主表面１４に通じる。トレース２６ｂは、続いて、第１の主表面１４に沿って、対応するバイア２８とパッド１９ａとの間に延びている。
【００６０】
トレース２４ａ、２４ｂ、２６ａ、２６ｂの上記したルーチンは、パドルカード終端部１０をレセプタクル６４とコンパチブルにする。特に、レセプタクル６４は、先に記したように、導電トレース８４の垂直に整列した対と組合うようにされている。この要求性能は、バイア２８を介して第１及び第２の主表面１４、１６間にトレース２４ｂ、２６ｂを通すことによって、パドルカード終端部１０において満たされる。垂直のピンアウト要求性能は、また基板１２の長手方向に関してずれているパッド１８ａ、１９ａ間にトレース２４ａを通すことによって、さらには同様にずれているパッド１８ｂ、１９ｂ間にトレース２４ｂを通すことによって満たされる。
【００６１】
この発明の多くの特徴及び利点はこれまでの記述の中で説明されてきたが、それらの開示は単に例証であり、添付の請求項が表現している用語の広範な通常の意味によって表示された全範囲に対して、種々の変更が、この発明の原理の中で詳細になされることは、理解されるべきである。
【図面の簡単な説明】
【００６２】
【図１】この発明によるパドルカードケーブル終端部の好ましい実施例を具体化するプラグ組立の分解斜視図。
【図２】図１に示すプラグ組立と組合うようにされたレセプタクルの斜視図。
【図３】図１に示すプラグ組立の側面図。
【図４】この発明によるパドルカード終端部、本体、及びプラグ組立の複数の接点の好ましい実施例の単純化した側面図。
【図５】複数のシールドされたケーブルに結合されるこの発明によるケーブル終端部の好ましい実施例の斜視図。
【図６Ａ】さらに新規なパドル基板回路トレース配置を具体化するこの発明による代表的なケーブル終端部の概略平面図。
【図６Ｂ】図６Ａに示す構成の概略側面図。
【図７Ａ】図５、６Ａ、６Ｂに示すシールドされたケーブルに結合される従来のケーブル終端部の概略平面図。
【図７Ｂ】図５、６Ａ、６Ｂ及び７Ａに示すシールドされたケーブルに結合されたケーブル終端部の概略側面図。
【図１】
2005527960.tif 000003
【図２】
2005527960.tif 000004
【図３】
2005527960.tif 000005
【図４】
2005527960.tif 000006
【図５】
2005527960.tif 000007
【図６Ａ】
2005527960.tif 000008
【図６Ｂ】
2005527960.tif 000009
【図７Ａ】
2005527960.tif 000010
【図７Ｂ】
2005527960.tif 000011
【国際調査報告】
2005527960.tif 000012
2005527960.tif 000013